(57)【要約】【目的】  処理装置の負担を増加することなく、機能の増大を図ることができるパーラー管理支援システムを提供する。【構成】  各遊技機の稼働状態情報を周期的に取り込み、これについて、予め定めた加工処理を行なうデータ入力／加工処理手段２１０と、取り込んだ情報及び加工した情報を記憶する記憶手段２５０とを有するデータベース部２００と、選択された支援処理を、データベース部に蓄積される情報を用いて行なう管理支援処理部３００と、指示及びデータの入力を受け付ける入力手段４２０と、情報の表示を行なう表示手段４３０とを有するユーザインタフェース部４００とを備える。表示手段４３０は、予め定めたメイン画面と、上記各支援処理対応の個別支援処理画面とを用意し、常時は、メイン画面を表示し、いずれかの支援処理が選択されたとき、当該支援処理の個別支援処理画面の表示を行なう。【選択図】  図１
2006312101.tif 000002
【特許請求の範囲】
【請求項１】
複数台の遊技機を島状に配列した遊技機島を複数配置したパーラーにおける管理を支援するシステムにおいて、
各遊技機の稼働状態を示す情報を収集すると共に、収集した情報の少なくとも一部について、予め定めた加工処理を行なって、収集された情報および加工された情報を蓄積するためのデータベース部と、
パーラー管理のための複数種の支援処理を搭載し、それらのうちから選択された支援処理を、データベース部に蓄積される情報を用いて行なうための管理支援処理部と、
情報の入出力を行なうためのユーザインタフェース部とを備え、
データベース部は、各遊技機の稼働状態を示す情報を周期的に取り込むと共に、取り込んだ情報について、予め定めた加工処理を行なうデータ入力／加工処理手段と、取り込んだ情報および加工した情報を記憶する記憶手段とを有し、
ユーザインタフェース部は、指示およびデータの入力を受け付ける入力手段と、パーラー管理支援のための情報の表示を少なくとも行なう表示手段とを有し、
表示手段は、予め定めたメイン画面と、上記各支援処理に対応する個別支援処理画面とを用意し、常時は、メイン画面を表示し、入力手段によって、いずれかの支援処理が選択されたとき、当該支援処理の個別支援処理画面の表示を行なうこと
を特徴とするパーラー管理支援システム。
【請求項２】
請求項１において、管理支援処理部は、入力手段により、いずれかの支援処理が選択されたとき、必要な情報をデータベース部から読みだして、当該支援処理が指定する処理を実行し、その結果を、表示手段に渡す処理を行ない、
上記表示手段は、管理支援処理部から渡された支援処理の結果を、対応する個別処理画面で表示する処理を実行すること
を特徴とするパーラー管理支援システム。
【請求項３】
請求項２において、管理支援処理部は、
売上げ状況を示すための処理を行なう監視処理手段、
遊技機の機種別の稼働状況の実績を示す情報を作成する処理を行なう実績把握処理手段、
釘調整のためのデータを作成して提供するための処理を行なう釘帳処理手段、
稼働状況を分析するための分析処理手段、
営業計画データを作成して提供するための計画処理手段、および、
遊技機を少なくとも含む機器類の管理データを作成して提供するための管理データ作成手段
のうち、少なくとも監視処理手段を備えること
を特徴とするパーラー管理支援システム。
【請求項４】
請求項３において、監視処理手段は、売上合計を求めて、表示のための表を作成する売上合計処理と、パーラーの遊技機島の島配置を若し帰化して画像表示する店舗レイアウト作成処理とを有することを特徴とするパーラー管理支援システム。
【請求項５】
請求項４において、上記ユーザインタフェース部において設定するメイン画面として、上記売上合計処理を表示する画面、および、店舗レイアウトを表示する画面のうちいずれか一方とすることを特徴とするパーラー管理支援システム。
【請求項６】
請求項１において、
上記入力手段は、メイン画面において、メニュー表示の要求を受け付ける手段と、表示されたメニューから特定の個別支援処理の選択を受け付ける手段とを有し、
上記表示手段は、上記入力手段が、メニュー表示の要求を受け付けると、予め用意した個別支援処理についてのメニューを示すメニュー画面を表示する手段と、上記入力手段が、特定の個別支援処理の選択を受け付けると、当該個別支援処理を表示するための個別支援処理画面を表示する手段とを備えることを特徴とするパーラー管理支援システム。
【請求項７】
請求項１において、
上記ユーザインタフェース部は、少なくとも、個別支援処理画面において、当該画面の再表示の指示を受け付ける手段を備え、かつ、
管理支援処理部は、再表示の指示を受け付けたとき、データベース部から新たに情報を読みだして、当該個別支援処理を再実行し、
上記表示手段は、再実行された個別支援処理の内容を以後表示すること
を特徴とするパーラー管理支援システム。
【発明の詳細な説明】
【技術分野】
【０００１】
本発明は、パーラー管理システムに係り、特に、パチンコパーラー等の遊技機を多数配置したパーラーにおける営業管理のためのデータを効率的に収集すると共に、ユーザの選択に応じて適宜データを加工して表示することができるパーラー管理システムに関する。
【背景技術】
【０００２】
ゲーム等を行なうためのパーラーでは、多数の遊技機が配置されている。例えば、パチンコパーラーの場合、数十台から数百台という多数のパチンコ遊技機と、パチンコ遊技機で用いるパチンコ玉を貸だすための複数台の玉貸機とが配置されている。玉貸機は、紙幣、コイン、カード等により料金の支払を行なって、料金に対応する数のパチンコ玉を払いだす。遊技者は、玉貸機から払いだされたパチンコ玉をパチンコ遊技機に投入してパチンコゲームを行なう。
【０００３】
一般に、パチンコ遊技機は、パチンコ玉を移動させるための空間を構成する盤面と、それを一定間隔を保って覆うガラス板と、金属球で構成されるパチンコ玉を、盤面の上部に投射するための投射機構とを有する。パチンコ遊技機は、その盤面が、鉛直方向に実質的に平行となるように、設置される。盤面には、パチンコ玉がそこに入って盤面から排出されるとヒットとなる、複数個のセーフ孔と、セーフ孔に入らなかったパチンコ玉が最終的に集まって、盤面から排出される１つのアウト孔とが設けられている。
【０００４】
また、盤面には、盤面に沿って落下するパチンコ玉が頻繁に衝突して、その運動方向に揺らぎを生ずるように、多数の釘（ピン）が、パチンコ玉の直径相当の長さ分、盤面から突出した状態で、実質的に垂直に設けられている。これらの釘は、衝突するパチンコ玉を、その運動方向に対して揺らぎを与えつつ、ある場合には、セーフ孔に向かうように誘導し、また、ある場合には、セーフ孔から外れるように誘導するように、その分布が決定されて、盤面に配置されている。
【０００５】
このような構造を有するため、パチンコ遊技機では、それぞれの釘の配置や、傾きの僅かな違いにより、ヒットのでやすい機械、ヒットのでにくい機械のように、機械に個性が生ずる。また、同じ機械においても、ヒット率の高いセーフ孔、ヒット率の低いセーフ孔などの違いを生じる。しかも、この違い方も、機械によって種々異なる。
【０００６】
この種の遊技機を多数設置したパーラーにおいては、各遊技機の稼働状況を知っておくことが、ゲームセンタの利益管理や、顧客管理の上で、経営上重要である。例えば、ヒットの出過ぎる機械が多いと、パーラー側が損し、一方、ヒットがでにくい機械ばかりであると、客が興味を失って、営業上好ましくない。従って、パーラーに設置されている各遊技機の稼働状況を知って、対策をとる必要がある。
【０００７】
このため、パチンコパーラー等で用いるための管理装置が提案されている。例えば、ＰＣＴ国際公開番号ＷＯ９３／１０８７１の明細書および図面には、多数の遊技機の各々についての稼働状況表示する機能を有する遊技場の電子管理システムが開示されている。すなわち、この電子管理システムは、各遊技機の稼働状況を検出し、この稼働状況を各遊技機ごとに記憶する。また、遊技場における各遊技機の配置図を表示すると共に、各遊技機の稼働状況を、配置図に示される各遊技機に対応させて表示する。具体的には、パチンコ遊技機に投入されたパチンコ玉数である入玉数、ヒットした際にパチンコ遊技機から賞として払いだされたパチンコ玉数である出玉数、入玉と出玉の差である差玉数、パチンコ遊技機へのパチンコ玉の補給状態、各種以上を示す情報、大当たりの状態を示す情報等の稼働状況を表すデータを収集して、表示する。例えば、入玉数を特定の個数単位に区分し、この区分ごとに特定の色を割り当てて、各パチンコ遊技機における入玉数を色分け表示する。
【０００８】
また、実開昭６０−１７７８２号の明細書および図面には、パチンコ遊技機と玉貸機が配置されたパチンコパーラーでにおいて、マイクロコンピュータを設置して、パチンコ遊技機および玉貸機の発する情報を処理する管理装置が示されている。この管理装置は、各パチンコ遊技機および玉貸機の平面的配置を、表示装置の管面に表示させ、かつ、各パチンコ遊技機が生ずる情報を処理して、その結果を重ねて表示する。これにより、パチンコパーラー全体におけるパチンコ遊技機および玉貸機の状態を的確に把握できる。具体的意は、平面的に表示されている各パチンコ遊技機の稼働状況、例えば、打ち止め、異常発生、稼働中等の状態を色分けして表示する。また、キーボードからの指示により、画面を切り替て、数値を示すテーブルを表示させることもできる。
【発明の開示】
【発明が解決しようとする課題】
【０００９】
上記従来の技術は、表示画面上に、パチンコ遊技機の平面的配置を表示すると共に、その表示に重ねて、各パチンコ遊技機の稼働状況を色分け等により表示している。しかも、これらの従来技術では、パチンコパーラーの稼働中に、各パチンコ遊技機の稼働状況を、オペレータが、常時、監視していることを前提としている。このため、各パチンコ遊技機から時々刻々変化する稼働状況を示す情報を取り込んで、それを逐次表示している。ところが、近年、パチンコパーラーにおいては、経営管理上種々のデータを収集して、これを分析表示することが望まれている。そのため、収集すべきデータ量および処理すべきデータ量が増大するため、処理装置の負担が大きくなるという問題がある。
【００１０】
一方、パチンコ遊技機は、例えば、一分間に数十ないし数百発（一般的には、２００発以内）のパチンコ玉がパチンコ遊技機に投射される。しかも、パーラーには、通常、１００台以上のパチンコ遊技機が配置されている。従って、多くのパチンコ遊技機が稼働状態にあると、処理すべきデータ量は膨大なものとなる。
【００１１】
ところが、従来の装置では、各パチンコ遊技機からの稼働情報を随時取り入れて、取り込んだ情報に基づいて、表示状態を変更している。そのため、各ゲーム季語とに色分け表示等を行なっていると、たえず画像情報の書替えを行なう必要があり、処理装置に大きな負担をかけることになる。特に、最近では、パーラーでの経営管理上、従来に増して種々の情報の提供が求められるので、機能の増大に伴って処理装置に更に大きな負担がかかる可能性がある。そのため、処理装置の負担を軽減した上で、可能な限り、機能の増大を図ることが要請されている。
【００１２】
本発明の目的は、処理装置の負担を増加することなく、機能の増大を図ることができるパーラー管理支援システムを提供することにある。
【課題を解決するための手段】
【００１３】
上記目的を達成するため、本発明の一態様によれば、
複数台の遊技機を島状に配列した遊技機島を複数配置したパーラーにおける管理を支援するシステムにおいて、
各遊技機の稼働状態を示す情報を収集すると共に、収集した情報の少なくとも一部について、予め定めた加工処理を行なって、収集された情報および加工された情報を蓄積するためのデータベース部と、
パーラー管理のための複数種の支援処理を搭載し、それらのうちから選択された支援処理を、データベース部に蓄積される情報を用いて行なうための管理支援処理部と、
情報の入出力を行なうためのユーザインタフェース部とを備え、
データベース部は、各遊技機の稼働状態を示す情報を周期的に取り込むと共に、取り込んだ情報について、予め定めた加工処理を行なうデータ入力／加工処理手段と、取り込んだ情報および加工した情報を記憶する記憶手段とを有し、
ユーザインタフェース部は、指示およびデータの入力を受け付ける入力手段と、パーラー管理支援のための情報の表示を少なくとも行なう表示手段とを有し、
表示手段は、予め定めたメイン画面と、上記各支援処理に対応する個別支援処理画面とを用意し、常時は、メイン画面を表示し、入力手段によって、いずれかの支援処理が選択されたとき、当該支援処理の個別支援処理画面の表示を行なうこと
を特徴とするパーラー管理支援システムが提供される。
＜作用＞
【００１４】
本発明において、データベース部は、データ入力／加工処理手段により、各遊技機の稼働状態を示す情報を周期的に取り込むと共に、取り込んだ情報について予め定めた加工処理を行なう。この加工処理は、個別支援処理において処理が容易となる形式に情報を加工しておく。そして、記憶手段により、取り込んだ情報および加工した情報を記憶する。このようにすれば、いずれかの個別支援処理の実行が選択されたとき、当該個別支援処理が容易に、かつ、迅速に行なえる。
【００１５】
また、管理支援処理部は、パーラー管理のための複数種の支援処理を搭載し、それらのうちから選択された支援処理を、データベース部に蓄積される情報を用いて行なう。このため、実際に表示することが必要となったとき、当該処理を行なうので、状態が時々刻々変化しても、それにかかわらず、処理が選択された時点で固定して、個別処理を行なうので、システムの負担が大幅に軽減される。また、より新しい情報を必要とするときには、再表示の要求を受け付けて、それがあったときに、データベース部から最新のデータを読み出して、個別支援処理を実行する。従って、表示が最新のものにリフレッシュされる。
【００１６】
ユーザインタフェース部は、入力手段により、指示およびデータの入力を受け付ける。そして、表示手段により、パーラー管理支援のための情報の表示を少なくとも行なう。この場合、表示手段は、予め定めたメイン画面と、上記各支援処理に対応する個別支援処理画面とを用意し、常時は、メイン画面を表示し、入力手段によって、いずれかの支援処理が選択されたとき、当該支援処理の個別支援処理画面の表示を行なう。このようにすることにより、個別支援処理が階層的にリンクされ、必要な処理が容易に選択できる。
【発明の効果】
【００１７】
本発明によれば、パーラー管理者が、適切に遊技機などの稼動状況を知ることができるパーラー管理支援システムを提供することが可能となる。
【実施例】
【００１８】
以下、本発明の実施例について、図面を参照して説明する。以下の実施例では、遊技機として、パチンコ遊技機およびスロットマシンを、それぞれ複数台配置したパチンコパーラーにおける管理を支援するシステムの一例について説明する。
【００１９】
本発明が適用される遊技パーラーは、一般的は、例えば、図３および図４に示すような構成となっている。図３には、遊技パーラーに配置される遊技機島２の構成を示す。遊技機島２は、複数台の遊技機１を互いに背中を向けた状態で２列に配置して構成される。また、１列に並ぶ各遊技機１の間に、隣接する遊技機１に挾まれるようにして、玉貸機３が、１台ずつ、複数台配置される。遊技機島２には、１列に２６台の遊技機１が配列されることが一般的である。もちろん、この台数に限定されることはない。遊技機島２は、図４に示すように、適当な間隔、例えば、その間に、それぞれの遊技機島の遊技者が図示していない椅子に座って遊技ができ、かつ、椅子に座っている遊技者間を人が通り抜けることができる間隔で、パーラーのフロアに配置される。玉貸機は、紙幣等を投入して料金を支払うと、それに見合った個数の遊技媒体、すなわち、遊技気に投入して遊技を行なうための媒体を貸し出す機会である。パチンコ遊技機の場合には、遊技媒体として、金属球で構成されるパチンコ玉が貸し出される。
【００２０】
遊技機島２の一端側には、図３に示すように、遊技者が獲得したパチンコ玉の計数を行なうと共に、パチンコ玉を回収するための玉計数機９が配置される。一方、遊技機島の他端側には、図示していないが、玉貸機３に投入された紙幣を収容する金庫が設置されている。なお、この金庫には、その入り口に、収容される紙幣の枚数をカウントする紙幣カウンタ（図示せず）が設けられている。また、遊技機１の背面側には、いずれも図示されていないが、各遊技機１および玉貸機３にパチンコ玉を補給する補給機構と、玉貸機３に投入された紙幣を上記金庫に搬送する紙幣搬送機構とが設けられる。この遊技機島２の長手方向の中央には、各遊技機１に投入されたパチンコ玉を回収して、それを再び、各遊技機１に補給するためのリフト機構（図示せず）が設けられている。
【００２１】
なお、本実施例では、稼働状況をより木目細かく示すことができるように、上記遊技機島をさらに細分化して、２列存在するパチンコ遊技機の１列分を、中央で二分したものを遊技機島と定義している。従って、本実施例の遊技機島は、通常の遊技機島２の１／４の規模である。本実施例では、通常の遊技機島２を、本実施例の遊技機島と区別するため、大島と呼ぶことにする。
【００２２】
各遊技機１には、一般的に、当該遊技機１に投入されたパチンコ玉（入玉）の数（入玉数）を計数して、その計数結果を出力する入玉カウンタ（図示せず）と、当該遊技機１から払いだされるパチンコ玉数（出玉数）を計数して、その計数結果を出力する出玉カウンタ（図示せず）とを少なくとも備えている。また、玉貸機３には、投入された紙幣の真偽を識別する紙幣識別器（図示せず）と、払いだすパチンコ玉を計数する払出カウンタ（図示せず）とが、一般的に設けられている。紙幣識別器は、投入された金額を示す情報を出力する。なお、本実施例では、１種類の紙幣のみを用いることとして、釣銭を用意していない。従って、紙幣識別器は、真偽の判別として、紙幣自体の真偽のほかに、その玉貸機で使用できる金種の紙幣であるかどうかの判別をも行なう。
【００２３】
各大島には、その大島に設置されている各種機器の管理を行なうためのコントローラ（図示せず）が設置されている。このコントローラは、各遊技機１、各玉貸機３、玉計数機および金庫からそれらの稼働状態を示す情報を取得する。例えば、各遊技機１から、当該遊技機が稼働しているか否かを示すステータス情報、入玉数および出玉数の各情報を取得する。各玉貸機３から、当該玉貸機が稼働しているか否かを示すステータス情報、投入金額および払出個数の各情報を取得する。玉計数機から、計数した玉数の情報を取得する。また、金庫から、収納した紙幣の累計金額を示す情報を取得する。また、コントローラは、大島における稼働状態、すなわち、補給機構、搬送機構の稼働状態の情報をも取得する。特に、補給機構ついては、一斉補給、自動補給等の補給状態を示す情報を取得する。コントローラは、取得した情報を、その情報の出所源である機器、例えば、パチンコ遊技機の機番号等の識別子、その機器が属する遊技機島および／または大島の識別子とを付して、データ収集装置Ｄに送る。
【００２４】
本実施例のシステムは、図１に示すように、情報処理装置１００で構成され、データ収集装置Ｄを介してパーラーＰ内に配置されている遊技機からそれらの稼働状態を示す情報を収集して、管理支援のための処理を行なう。この情報処理装置１００は、遊技機からそれらの稼働状態を示す情報を取り込んで、蓄積し、管理するためのデータベース部２００と、パーラー管理のための複数種の支援処理を搭載し、それらのうちから選択された支援処理を、データベース部２００に蓄積される情報を用いて行なうための管理支援処理部３００と、情報の入出力を行なうためのユーザインタフェース部４００と、メンテナンス処理部５００とを実現する。
【００２５】
この情報処理装置１００は、図２に示すように、管理支援処理、表示処理、入力処理、記憶処理等の各種処理を行なうための中央処理装置（ＣＰＵ）１１０と、これらの処理プログラムおよびデータを記憶するためのメモリ１１１と、外部からの指示およびデータの入力操作を受け付けるための入力装置１２０と、画像表示を行なう表示装置１３０と、プリンタ１４０と、磁気ディスク装置等の外部記憶装置１５０とを有する。データベース部２００、管理支援処理部３００およびユーザインタフェース部４００は、それぞれ、情報処理装置１００のハードウエア資源を用いて、ＣＰＵ１１０が、メモリ１１１内のプログラムを実行することにより実現される。
【００２６】
入力装置１２０は、キーボード１２１およびマウス１２２を有する。もちろん、これに限定されない。例えば、マウス１２２に代えて、または、マウス１２２と共に、タッチパネル、音声入力装置等を用いることができる。
【００２７】
表示装置１３０としては、例えば、ＣＲＴカラー表示装置が用いられる。もちろん、これ以外の表示装置、例えば、液晶表示装置を用いることもできる。
【００２８】
プリンタ１４０としては、例えば、カラープリンタが用いられる。より具体的には、レーザービームプリンタ、インクジェットプリンタ等が用いられる。
【００２９】
外部記憶装置１５０としては、例えば、情報処理装置に内蔵させたハードディスク装置が用いられる。もちろん、これに限定されない。例えば、外付けのハードディスク装置、フロッピディスクドライブ装置、光ディスク装置、ディスクアレー装置等が、それぞれ、単独で、または、併せて用いられる。なお、内蔵型ハードディスク装置と、内蔵または外付けの光ディスク装置とを併用すれば、短期保存データと、長期保存データとを、効率的に、かつ、大量に保存できる。なお、外部記憶装置１５０は、単に、データのみならず、情報処理装置のオペレーティングシステム１０等のシステムソフトウェアと、各種機能を実現するためのアプリケーションプログラム群をも記憶することに用いられる。
【００３０】
データベース部２００は、各遊技機の稼働状態を示す情報を定期的に取り込むデータ入力手段、および、取り込んだ情報を演算、分類等の加工処理を行なって格納するデータ加工手段として機能するデータ入力／加工処理２１０と、取り込んだ情報（カレントデータ）を記憶する記憶手段として機能するカレントデータベース２５０と、本実施例のシステムにおいて使用するマスタ情報を記憶する定数データベース２６０と、上記カレントデータベース２５０に蓄積される情報を、一定の期間単位に締め切って長期間保存するための締切データベース２８０と、定数データベース２６０で与えられる定数およびカレントデータベースから読みだしたカレントデータに基づいて、予め定められた期間単位に編集した締切データを生成する締切データ作成処理２２０とを有する。
【００３１】
データ入力／加工処理２１０は、データ収集装置ＤからパーラーＰ内の各遊技機についての稼働状況を表す情報を一定周期で定期的に取り込む。データ収集の周期は、例えば、２分とすることができる。もちろん、設置された遊技機の台数との関係で、この周期は、変更される。データ入力／加工処理２１０では、データ収集装置Ｄからのデータを、情報処理装置で扱うに適した信号形態に変換する。例えば、伝送フォーマットの変換等の変換を行なう。また、必要に応じて、データについて圧縮／伸長等の処理を行なう。また、データ入力／加工処理２１０は、取り込んだデータについて、予め定めた演算処理を行ない、その結果を仕分けして、後述するカレントデータベース２５０の各ファイルに格納する。
【００３２】
カレントデータベース２５０は、階層的にファイルが構成される。図５に示す例では、１日単位のホルダ２５１として、本日のデータを格納するホルダ２５１-0と、１日前、２日前、３日前、…、７日前の７日分の近い過去のデータを保存するホルダ２５１-1ないし２５１-7とを有する。そして、各ホルダ２５１には、営業情報ファイル２５２、稼働情報ファイル２５３および推移情報ファイル２５４が設けられる。そして、営業情報ファイル２５２には、データ収集装置Ｄから取得した直接取得情報と、これらに基づいて、演算、分類等の加工処理を施して得られる加工情報とが格納される。直接取得情報としては、遊技機ごとの営業情報である遊技機情報、金庫に関する情報、玉貸機についての情報、および、玉計数機に関する情報等がある。加工情報としては、遊技機島別の情報、機種別の情報、および、店舗情報とがある。遊技機情報としては、例えば、当該パチンコ遊技機の識別子となる、遊技機が置かれている位置を示す台番号、稼働時間、稼働回数、稼働中か否かの稼働状態、入玉数、出玉数等がある。店舗情報は、当該店舗が置かれている状況に関するカレント情報であって、例えば、天候、催事等の日記的事項を記録する。なお、催事には、通常の催しの他、特別な事件の発生等の特記すべき事項を記録してもよい。この入力は、ユーザインタフェース部４００において、例えば、メイン画面等の中で、入力装置１２０により行なえる。
【００３３】
定数データベース２６０は、図６に示すように、マスタデータベース２６１と、環境設定データベース２６５とで構成される。
【００３４】
締切データベース２８０は、図７に示すように、日締データベース２８１と、月締データべース２８５とで構成される。日締データベース２８１は、その下位に、４００日分の日締営業情報ファイルを蓄積する４００日分営業情報データベース２８２と、９０日分の日締稼働情報ファイルを蓄積する９０日分稼働情報データベース２８３と、３０日分の日締履歴情報を蓄積する３０日分履歴情報データベース２８４とを有する。月締データベース２８５は、５年分の月締営業情報を蓄積する５年分月締営業情報データベース２８６を有する。
【００３５】
この他に、図８および図９に示すような、営業計画を格納する計画データベース２９１、および、システムの管理のためのデータを格納するシステムデータベース２９５とを有する。計画データベース２９１は、過去３年分、当年度分および翌年分の５年間分の営業計画データを格納する年間計画データベース２９２と、過去３ヵ月、当月、および、将来の３ヵ月分の合計７ヵ月分の月間計画データベース２９３とを有する。システムデータベース２９５は、オペレーション履歴、処理履歴およびエラーログを１００件分格納するシステム履歴データベース２９６と、システム管理データを格納するシステム管理データベース２９７とを有する。
【００３６】
締切データ作成処理２２０は、カレントデータベース２５０から営業情報および稼働情報を１日単位で集計して日締データベース２８１の蓄積データを作成する。また、日締データベース２８１に蓄積される１日単位のデータを１月分まとめて、月締データベース２８５に蓄積される月単位のデータを作成する。
【００３７】
管理支援処理部３００は、入力装置１２０により、いずれかの支援処理が選択されたとき、必要な情報をデータベース部２００から読みだして、特定の支援処理の観点にあわせた銃砲の加工、目的のフォーマットで表される表、折線グラフ、棒グラフ等の各種グラフ等を作成する支援処理を実行し、その結果を、ユーザインタフェース部４００に渡す処理を行なう。そのため、管理支援処理部３００は、図１０に示すように、売上げ状況を示すための処理を行なう監視処理３１０と、遊技機の種別、さらには機種別の稼働状況の実績を示す情報を作成する処理を行なう実績把握処理３２０と、釘調整のためのデータを作成して提供するための処理を行なう釘帳処理３３０と、稼働状況を分析するための分析処理３５０と、営業計画データを作成して提供するための計画処理３５０と、遊技機を少なくとも含む機器類の管理データを作成して提供するための管理データ作成処理３６０とを搭載している。これらの各処理は、必ずしもすべてを搭載していなくともよい。ただし、監視処理３１０は、少なくとも搭載される必要がある。
【００３８】
監視処理３１０は、図２６に示すように、売上合計３１１０と店舗レイアウト３１２０に二分される。そして、これらのうち一方は、メイン画面として選択される。本実施例では、売上合計３１１０の画面がメイン画面として選択されているものとする。売上合計３１１０は、その下位の処理として、売上推移グラフの作成がある。一方、店舗レイアウト３１２０は、その下位の処理として、台別表示３１２１、稼働明細表（島別）３１２２、稼働明細表（機種別）３１２３、売上累計表（島別）３１２４および売上累計表（機種別）３１２５がある。そして、台別表示３１２１には、さらに下位の処理として、稼働明細表（台別）３１２１１、差玉グラフ３１２１２、特賞推移表３１２１３、日別確率グラフ３１２１４、スタート別確率グラフ３１２１５および台別推移グラフ３１２１６がある。
【００３９】
実績把握処理３２０は、営業実績を種々の観点から示す帳票を作成する。例えば、１ヵ月間の営業実績を一覧表示する売上日計表、１年間の売上推移を月単位に一覧表示する月別売上推移表、貸玉金額、割数および粗利について、１年間の計画値と実績値の対比を月単位に一覧表時およびグラフ表示する、年間営業計画対比表、機種ごとに貸玉金、粗利、人気別の順位を一覧表示する機種別順位表、機種の導入から現在までの売上累積を機種別に一覧表示する機種別売上累計表等をそれぞれ作成する。
【００４０】
釘帳処理３３０は、例えば、台（遊技機）別に１週間の釘調整の開締状況および営業状況を一覧表示する島別釘長推移表、島別・台別に、ある期間内の釘調整後状況および営業状況を一覧表示する島別釘長明細表等を作成する。
【００４１】
この管理支援処理部３００に設けられた分析処理３４０につき、より詳細に説明を加える。分析処理３４０は、図２７に示すように、所定期間ごとの機種別の稼動状況に関連するデータを、データベース部２００のカレントＤ／Ｂ２５０或いは締切Ｄ／Ｂ２７０から読みだし、これに所定の処理を加えるとともに対応する画像データを生成する機種別稼動状況処理部３４０１と、所定期間ごとの島別の稼動状況に関連するデータを、データベース部２００のカレントＤ／Ｂ２５０或いは締切Ｄ／Ｂ２７０から読みだし、これに所定の処理を加えるとともに対応する画像データを生成する島別稼動状況処理部３４０２と、遊技機の特賞確率或いは差玉などに関連するデータを、データベース部２００のカレントＤ／Ｂ２５０或いは締切Ｄ／Ｂ２７０から読みだし、これに所定の処理を加えるとともに対応する画像データを生成する台別データ処理部３４０３と、曜日ごとの営業状況および遊技機などに関連するデータを、データベース部２００のカレントＤ／Ｂ２５０或いは締切Ｄ／Ｂ２７０から読みだし、これに所定の処理を加えるとともに対応する画像データを生成する曜日別分析処理部３４０４とを備えている。
【００４２】
より詳細には、機種別稼動状況処理部３４０１には、一日ごとの機種別の稼動状況、すなわち、パーラーに入場した客数の時間推移、客の総数などに関連するデータを取り出す日別稼動状況処理部３４１１、ユーザインタフェース４００を介して与えられた所定の期間中の機種別の稼動状況に関連するデータを取り出す期間指定稼動状況処理部３４１２、ユーザインタフェース４００を介して与えられたある期間中の所定の曜日の機種別の稼動状況に関連するデータを取り出す曜日別稼動状況処理部３４１３、および、機種別の稼動状況に関連するデータを得て、これに対応するグラフの画像データを生成するための稼動状況グラフ化処理部３４１４が含まれる。
【００４３】
また、島別稼動状況処理部３４０２には、一日ごとの島別の稼動状況に関連するデータを取り出す日別稼動状況処理部３４２１、ユーザインタフェース４００を介して与えられた所定の期間中の島別の稼動状況に関連するデータを取り出す期間指定稼動状況処理部３４２２、ユーザインタフェース４００を介して与えられたある期間中の所定の曜日の島別の稼動状況に関連するデータを取り出す曜日別稼動状況処理部３４２３、および、島別の稼動状況に関連するデータを得て、これに対応するグラフの画像データを生成するための稼動状況グラフ化処理部３４２４が含まれる。
【００４４】
計画処理３５０は、例えば、年間の月別営業計画を行なう年間営業計画を作成する。また、翌営業日について、機種ごとおよび店舗全体の売上予測を行なう売上シミュレーション等を行なう。
【００４５】
管理データ作成処理３６０は、例えば、全ゲーム機の異常発生状況を一覧表示するゲーム機異常履歴を作成する等を行なう。
【００４６】
ユーザインタフェース部４００は、図１に示すように、入力装置１２０からの入力を受け付ける処理を行なうユーザ入力処理４２０と、表示装置１３０の表示画面の展開の制御、および、それぞれの画面での画像を表示を制御する処理を行なう画面処理４３０と、プリンタ１４０のプリント出力のための帳票作成処理を行なう帳票処理４４０とを実行する。ユーザ入力処理４２０と画面処理４３０とは、密接に関連するので、併せて説明する。
【００４７】
ユーザ入力処理４２０は、システムの起動、設定、終了等を行なうと共に、画面の選択処理、メニュー選択、帳票処理等における指示等の処理を行なう。すなわち、ユーザ入力処理４２０は、例えば、図１０に示すように、大まかには、システムの起動／終了を行なうユーザ設定処理４２１と、システムが各種処理を行なっている際のメニュー選択を行なうための選択処理４２２−４２４と、管理支援処理部３００での処理中での選択処理４２５を実行する。
【００４８】
画面処理４３０は、入力装置１２０からの指示を受けて、例えば、図１１に示すような画面展開処理を行なう。図１１において、画面展開は、ユーザ設定画面４３１、メイン画面４３２、サービスメニュー４３３、メンテナンスメニュー４３４、個別（サービス）支援処理画面群４３５、個別メンテナンス画面群４３６および終了確認画面４３７に大きく分けられる。
【００４９】
システムが起動されると、まず、ユーザ設定画面４３１が表示される。この画面では、図１２に示すように、ユーザ名、パスワード等の予め設定されたデーターの入力を行なう領域４３１ａと、ログインを指示する領域（アイコン）４３１ｂと、終了を実行させるための指示を行なうための領域（アイコン）４３１ｃとが設けられている。ユーザ設定に必要な入力は、入力装置１２０により行なう。ユーザ設定処理４２１は、このユーザ設定画面４３１において、キーボード１２１からの、ユーザ名、パスワード等のユーザの入力の受け付け、マウス１２２による、ログイン指示または終了指示を受け付けを行なう。
【００５０】
ログインのアイコン４３１ｂが指示されると、メイン画面４３２に移行する。メイン画面は、監視処理において表示される売上合計画面（図１３）、および、店舗レイアウト画面（図１６）のうち、定数データべース２６０に予め選択してあるいずれかが設定される。ここでは、図１３の売上合計画面がメイン画面４３２として選択されているものとする。なお、定数データべース２６０の選択を変更することにより、メイン画面を変更することができる。メイン画面として選択された個別支援処理の画面は、当該個別支援処理から外れる。
【００５１】
売上合計画面には、後述する監視処理によって、カレントデータベース２５０に格納されているデータを用いて、それが表示される時点での売上合計が表として表示される。ここでは、図１３に示すように、予め設定してある項目について、種別、すなわち、パチンコ遊技機とスロットマシンごとの売上と、それらの合計売上が数値で表示される。また、この画面には、日記的事項を書き込むための日記欄４８０が配置されている。すなわち、この日記欄４８０には、日付変更のコマンドとして機能するカレンダーマーク４８１と、日付欄４８２、天候欄４８３と、催事欄４８４とが設けられている。この日記欄４８０の内容の内、システムが付与しないもの、すなわち、天候および催事は、カレントデータベース２５０の営業情報ファイル２５２の店舗情報に格納される。
【００５２】
日付の変更は、カレンダーマーク４８１をマウス１２２でクリックすることにより、当日、前日および翌日と、特定日とが選択可能となり、当日、前日および翌日を選ぶと、システムが持つカレンダにより、日付が自動的に設定される。一方、特定日を選択すると、日付欄に数値が入力可能となる。天候欄４８３は、これをマウス１２２でクリックすると、予め用意してある天候メニュー（図示せず）が画面上に表示され、いずれかの天候を選択すると、それが天候欄４８３に記入される。同様に、催事欄４８４についても、その欄をクリックすると、予め用意された催事メニューが表示されて、その中から選択することにより、催事欄４８４にメニューが表示される。なお、メニューが予め用意されていないときには、該当欄にデータを直接入力する。
【００５３】
また、このメイン画面には、次の展開を行なうための各種指示領域が設定されている。まず、画面右上に配置された第１アイコン群４６０と、画面左下に配置された第２アイコン群４７０とがある。また、メイン画面４３２には、管理支援処理（サービス）メニューバー４５０（図１３参照）が用意してある。このメニューバー４５０を開くと、図１４に示すように、各種メニューが表示され、その中から目的の事項を選択することができる。図１０に示す、選択処理４２２は、メイン画面４３２上に表示されている第１アイコン群４６０を指示することによって開かれるメニュー画面での管理支援処理（サービス）の選択処理である。選択処理４２３は、管理支援処理（サービス）メニューバー４５０からの個別支援処理３１０−３６０等の選択である。選択処理４２４は、上記選択処理４２２においてメニューバー４５０からメンテナンスメニューを選択したときに、メンテナンスメニューを表示させて選択する場合の処理である。さらに、選択処理４２５は、各管理支援処理において、相互に他の処理を選択する場合の処理である。例えば、帳票処理４４０の選択がある。これらの選択での選択肢の指示は、例えば、マウス１２２でクリックすることにより行なうことができる。
【００５４】
なお、個別支援処理画面群４３５の各画面および個別メンテナンス画面群４３６の各画面にも、同様の選択のためのツールとしてアイコン、メニューバーを設けることができる。
【００５５】
ここで、アイコン群について、説明を付加しておく。上記第１アイコン群４６０は、主として、システムの走査に関する指示を行なうためのものが含まれる。第１アイコン群４６０には、例えば、帳票の印刷を指示するための帳票印刷指示４６１と、画面のハードコピーを取るためのコピー指示４６２と、サービスメニューへの復帰指示４６３と、操作を支援するためのヘルプ画面を開くための指示４６４、終了を指示するための終了指示４６５とが存在する。
【００５６】
第２アイコン群４７０は、主として、表示内容に関する指示等に関するものが含まれる。第２アイコン群４７０には、例えば、操作についてのコメントウインドウ（図示せず）を開くためのコメント指示４７１と、売上推移グラフの表示を指示する売上推移グラフ指示４７２と、表示画面を、最新のデータでリフレッシュするための再表示指示４７３とが用意されている。ここで、例えば、売上推移グラフ指示４７２が用意されているので、これをマウスでクリックすると、図１５に示すように、現在売上合計表示の筆頭項目内容について、推移グラフ４３５ａをウインドウ表示する。
【００５７】
なお、第２アイコン群で用意される個別支援処理指示のためのアイコンは、それが表示される画面がリンクしている個別支援処理に関するものである。従って、売上合計処理の画面で表示される個別支援処理のアイコンは、売上推移グラフ指示４７２のみである。しかし、他の個別支援処理画面では、それぞれがリンクする他の個別支援処理を示すアイコンが表示される。例えば、図１６に示す店舗レイアウトの場合には、台数表示指示４７４、島別売上累積指示４７５、種別売上累積指示４７６、島別稼働明細指示４７７、種別稼働明細指示４７８および再表示指示４７３が第２アイコン群４７０として表示される。また、第２アイコン群で用意される個別支援処理指示のためのアイコンは、指示された内容をウインドウ表示する。画面の切換は行なわない。画面を切換は、メニューバー４５０により行なう。
【００５８】
図１６では、店舗レイアウトが個別支援処理として表示されているので、日記欄４８０は、単に表示される状態となっている。メイン画面４３２として設定されている場合には、図１３の売上合計画面と同様に、日記欄４８０は、入力可能となる。
【００５９】
なお、第１アイコン群４６０および第２アイコン群４７０は、それぞれ他の画面でも表示される。ただし、すべての画面で同じアイコンが表示されるとは限らない。それぞれの画面において必要なものが表示される。
【００６０】
ところで、本発明では、再表示指示４７３を設けている。従って、再表示指示された場合、その時点の最新データで、表示内容がリフレッシュされる。もし、再表示しない場合には、各表示画面は、それが選択された時、または、最後に再表示されたときの状態のまま保存される。このようにした理由は、次のとおりである。
【００６１】
すなわち、この種のパーラーの管理においては、時々刻々変化するデータを逐次観察する必要性は低く、むしろ、必要な時点で、望みの形式に加工された情報を提供されることが好ましい。そこで、パーラー内で時々刻々生じる各種事象については、データをデータベース部２００にたえず取り込んで、内部の情報をリフレッシュさせる。一方、表示画面では、一旦選択された後は、リフレッシュしないで表示する。従って、その後、データに変化があっても、画面の書き替えを行なわない。そして、必要があれば、再表示指示４７３をクリックすることにより、その時点で、データベース部２００に蓄積されている最新のデータを用いた表示を行なう。従って、このようにすることによって、ユーザには、必要に応じて、営業情報、稼働情報等の各種管理情報を所望の形式で得られ、システムには、画面の無駄な書替えがなくなって、負荷が軽減される。
【００６２】
次に、メイン画面４３２からの他の画面への画面展開を行なうには、上述したように、第１アイコン群４６０のメニュー指示４６３のアイコンを指示する場合と、第２アイコン群４７０に、予め用意された個別支援処理のうちの特定の支援処理を示すアイコン、例えば、売上推移グラフ指示４７２のアイコンを指示する場合がある。
【００６３】
メニュー指示４６３のアイコンを指示すると、図１７に示す、個別支援処理の内容を示すサービスメニュー画面４３３が表示される。この画面で、終了指示４６５を指示すると、メイン画面４３２に戻る。サービスメニュー画面４３３でいずれかの個別支援処理が選択されると、それぞれの個別支援処理の画面群４３５が表示される。個別支援処理の各画面では、終了指示４６５を指示することで、メイン画面４３２に戻る。個別支援処理の各画面においても、予めアイコンを定義しておくことで、他の支援処理に移行することができる。また、ウインドウによる表示を行なうこともできる。
【００６４】
また、図１４に示すメニューバー４５０でメンテナンスメニュー４５１が選択された場合、図１８に示すメンテナンスメニュー画面４３４が表示される。ここで、終了指示４６５を指示すると、メイン画面４３２に戻る。一方、いずれかのメンテナンスの個別アプリケーションを選択すると、それぞれの個別メンテナンス画面群４３６が表示される。個別メンテナンス画面群４３６において、メニュー指示４６３を指示すると、メンテナンスメニュー画面４３４に戻る。また、終了指示４６５を指示すると、メイン画面４３２に戻る。
【００６５】
次に、上記第２アイコン群を用いて、店舗レイアウト画面から、島別、台別に画面展開を行なう場合の例について説明する。ここでは、個別支援処理画面群４３５から店舗レイアウトの画面が選択されたものとして説明する。
【００６６】
画面展開に先立ち、店舗レイアウト画面の構成について簡単に説明しておく。図１６に示す店舗レイアウト画面５０００では、パーラー内での遊技機島の分布を模式的に示す。この例では、１−２８番までの遊技機島が、島番号と共に配置されている遊技機島表示領域５１００と、その右側にあって、レイアウト表示について条件の表示を行なう条件表示領域５１１０と、営業状況を示す領域５１２０とが配置されている。
【００６７】
条件表示領域５１１０では、表示の対象となっている種別を示す表示種別選択部５１１１と、特定の機種を表示することを選択するか否かを示す機種表示選択５１１２が設けられている。図１６の例では、すべての種類の遊技機と、同じ種類の遊技機におけるすべて機種が選択されている状態にある。営業状況を示す領域５１２０では、島単位か、機種単位かの選択を示す領域５１２１と、表示すべき営業状況項目を示す領域５１２２とが設けられている。項目としては、例えば、貸玉金額、粗利および稼働率の３項目が設定されている。この例では、島別に営業状況が示されること、および、貸玉金額について表示がなされることが選択されている。また、営業状況を示す領域５１２０では、営業状況を例えば、３段階で色分け表示する場合に、その段階対応の色を示す色見本表示領域５１２３が設けられている。従って、図１６の遊技機島表示領域５１００では、島ごとの貸玉金額の段階に応じて色分け表示がなされる。
【００６８】
次に、台（遊技機）別表示について説明する。図１６に示す店舗レイアウト画面に表示される遊技機島１−２８のうち、目的の遊技機が含まれる遊技機島をマウス１２２で指示するか、または、キーボード１２１から遊技機島の番号を入力する。その後、この店舗レイアウト画面において、定義されている第２アイコン群４７０から台別表示指示４７４を指示すると、システムのユーザインタフェース部４００は、これらの指示を受け付けて、図１９に示すように、店舗レイアウト画面上に、台別表示画面５２００を表示する。
【００６９】
この画面５２００では、遊技機表示領域５２１０に、選択された島に属する遊技機ごとに、貸玉金額の大きさに応じた応じて色分け表示されている。この領域において、特定の遊技機を指定することができる。それにより、台別表示がなされる。
【００７０】
画面５２００の遊技機表示領域５２１０の右側には、島単位か、機種単位かの選択を切換る指示アイコン５２２０と、領域選択された遊技機とその島の平均値が、営業状況を表す項目である貸玉金額、粗利および稼働率について、それぞれの数値を示すテーブル５２３０と、さらに詳細なデータの表示を指示するための選択アイコン群５２４０と、営業状況を示す領域５２５０とが表示される。さらに、コマンドアイコンとして、消去指示５２０１が設けられている。
【００７１】
ここで、選択アイコン群５２４０の中から、台別稼働明細５２４１が選択されると、図２０に示すように、稼働明細表（台別）５３１０がウインドウ表示される。差玉グラフ５２４２が選択されると、図２１に示すように、差玉グラフ５３２０がウインドウ表示される。特賞推移表５２４３が選択されると、図２２に示すように、特賞推移表５３３０がウインドウ表示される。日別確率グラフ５２４４が選択されると、図２３に示すように、日別確率グラフ５３４０がウインドウ表示される。スタート別確率グラフ５２４５が選択されると、図２４に示すように、スタート別確率グラフ５３５０がウインドウ表示される。台別推移グラフ５２４６が選択されると、図２５に示すように、台別推移グラフ５３６０がウインドウ表示される。
【００７２】
また、例えば、図２１に示す差玉グラフ画面の場合には、コマンドアイコン群５３２１−５３２５が用意してある。コマンド５３２１は、当日と前日の２日分のグラフを横に並べて表示する（連続グラフ）。コマンド５３２２は、当日と前日の２日分のグラフを重ねて表示する（重ねグラフ）。コマンド５３２３は、特徴が発生した時間（または入玉）をグラフ上に表示する（特賞表示）。コマンド５３５４は、表示内容をリフレッシュして、差玉グラフを再表示する。この他、コマンド５３５４は、グラフの横軸を、時間と入玉数とのいずれかに切換る選択を行なう。
【００７３】
以上に説明したように、店舗レイアウト画面を基準として、個別支援処理を階層的にリンクさせ、かつ、リンクをアイコンで選択できるので、互いに関連する情報を、容易に表示させることができる。また、各個別支援処理においても、それが選択された時点でのデータに基づいた表示が行なわれるので、システムに体する、表示内容のリフレッシュのための負担が軽減される。もちろん、リフレッシュが必要であれば、指示することにより、表示内容がリフレッシュされるので、ユーザに取っても、必要な時点で、最新のデータに基づく表示が得られる。
【００７４】
次に、分析処理３４０の作動につき、より詳細に説明を加える。図１３に示すメイン画面４２３上で、画面右上に配置された第１アイコン群４６０に含まれるサービスメニューへの復帰指示４６３が指定されることにより、メイン画面には、図２８に示す画像が得られる。この画像の左側には、アイコン群４３２０が設けられ、このアイコン群には、機種別稼動状況アイコン４３２１、島別稼動状況アイコン４３２２、台別データアイコン４３２３、曜日別分析アイコン４３２４などが含まれる。操作者がマウスなどを用いて機種別稼動状況アイコン４３２１を指定することにより、前述した機種別稼動状況処理部３４０１が起動され、島別稼動状況アイコン４３２２を指定することにより、島別稼動状況処理部３４０２が起動され、台別データアイコン４３２３を指定することにより台別データ処理部３４０３が起動され、或いは、曜日別分析アイコン４３２４を指定することにより曜日別分析処理部３４０４が起動される。
【００７５】
或いは、図１３に示す画面４２３の管理支援処理（サービス）メニューバーが指定された場合には、さらに、メニューバーに含まれる所定の項目を指定することにより、分析処理３４０を起動させることも可能である。
【００７６】
より詳細には、たとえば、機種別稼動状況アイコン４３２１を、マウスなどを用いてクリックすると、機種別稼動状況処理部３４０１に含まれる処理、すなわち、日別稼動状況処理、期間指定稼動状況処理、曜日指定稼動状況処理および機種別稼動状況グラフ処理に対応するサブメニューが表示され、これらのうちの何れかを、マウスなどを用いてさらにクリックすることにより、図２７に示すように機種別稼動状況処理部３４０１に含まれる日別稼動状況処理部３４１１、期間指定稼動状況処理部３４１２、曜日指定稼動状況処理部３４１３或いは機種別稼動状況グラフ処理部３４１４の何れかが起動される。
【００７７】
島別稼動状況アイコン４３２２、台別データアイコン４３２３或いは曜日別分析データアイコン４３２４を、マウスなどを用いてクリックした場合にも、同様に、これらのアイコンに、それぞれ対応する島別稼動状況処理部３４０２、台別データ処理部３４０３或いは曜日別分析処理部３４０４に含まれる処理に対応するサブメニューが表示され、これらのうちの何れかをさらにクリックすることにより、対応する処理部が起動され、適切な処理が実行される。
【００７８】
図２９は、機種別稼動状況処理部３４０１に含まれる日別稼動状況処理部３４１１が起動されて、処理が実行されたときに、画面４３３０上に表示される画像の一例を示す図である。この処理においては、カレントＤ／Ｂ２５０に含まれるホルダ２５１−０が参照され、処理が実行される際にホルダ２５１−０に収容されている機種ごとの稼動状況に関するデータが読み出される。この処理においては、これら読み出されたデータに基づき、画面４３３０に表示すべき表に対応する表データが生成され、この表データが、ユーザインタフェース部４００に与えられ、画面４３３０に、表データに対応する表が表示される。図２９に示すように、この表の列４３４０には機種名が示され、行４３４１、４３４２、・・・・には、各機種の当日の時間ごとの稼動状況が示される。また、表より上側の部分４３５０には、天候欄４３５１および催事欄４３５２が表示される。この天候欄４３５１および催事欄４３５２は、図１３に示す天候欄４８３および催事欄４８４に関連して設定されたものである。
【００７９】
さらに、日別稼動状況処理部３４１１においては、当日の稼動状況のみならず、前日或いは特定の日などの機種別の稼動状況に関する表に対応する表データを生成することもできる。たとえば、前日の機種別の稼動状況に関する表データを生成する場合には、カレントＤ／Ｂ２５０中のホルダ２５１−１が参照され、このホルダ２５１−１に収容された機種ごとの稼動状況に関するデータが読み出される。さらに、これら読み出されたデータに基づき、画面に表示すべき表に対応する表データが生成される。前日以外の特定の日の機種別の稼動状況に関する表に対応する表データが生成される場合についても、略同様な処理が実行されるため詳細な説明は省略する。
【００８０】
期間指定稼動状況処理部３４１２においては、操作者がマウスなどを用いて指定した所定の期間に基づき、カレントＤ／Ｂ２５０或いは締切Ｄ／Ｂ２８０に収容された機種ごとの稼動状況に関するデータが読み出され、これら読み出されたデータに基づき、画面４３０に表示すべき表に対応するデータが生成される。この期間指定稼動状況処理部３４１２により得られた表データに対応する表が現れた画面の例を図３０に示す。
【００８１】
曜日指定稼動状況処理部３４１３においても、上述した処理部３４１１、３４１２とほぼ同様に、操作者がマウスなどを用いて指定した特定の曜日に基づき、カレントＤ／Ｂ２５０或いは締切Ｄ／Ｂ２８０に収容された機種ごとの稼動状況に関するデータが読み出され、これら読み出されたデータに基づき、画面４３０に表示すべき表に対応するデータが生成される。
【００８２】
次に、機種別稼動状況グラフ処理部３４１４の動作につき、説明を加える。
【００８３】
この機種別稼動状況グラフ処理部３４１４は、操作者がマウスなどを用いて指定した特定の機種および特定の期間に基づき、カレントＤ／Ｂ２５０或いは締切Ｄ／Ｂ２８０に収容された当該特定の機種の稼動状況に関するデータを読み出す。
【００８４】
さらに、カレントＤ／Ｂ２５０のホルダ２５０−１ないし２５１−７のそれぞれに含まれる営業情報２５２、或いは、締切Ｄ／Ｂ２８０に含まれる営業Ｄ／Ｂ２８２などから、特定の期間に含まれる日の天候を示すデータを読みだす。次いで、読み出されたデータに基づき、特定の期間に含まれる日ごとの入客率を示す値をそれぞれ生成し、これらの値を直線で結んだグラフ、および、特定の期間に含まれる日の天気を含むグラフデータを生成する。図３１に、このようにして得られたグラフデータに対応するグラフの例を示す。
【００８５】
図３１に示すように、画面４３５５中の下側部分４３６０には、指定された特定の期間に含まれる日ごとの天候を示すシンボル４３６１、４３６２、４３６３、・・・・が示され、また、これらの日ごとの入客率を示すグラフ４３６５が示されている。なお、機種別稼動状況グラフ処理部３４１４においては、図１３に関連して説明した天候メニューに含まれる天候と、天候を示すシンボルが予め対応付けられている。
【００８６】
このように、指定された特定の期間に含まれる日ごとの天候を示すシンボルを、グラフに付加することにより、操作者は、天候によるパチンコ機の稼動状況の変動などを容易に把握することができる。
【００８７】
島別稼動状況処理部３４０２に含まれる日別稼動状況処理部３４２１、期間指定稼動状況処理部３４２２、曜日指定稼動状況処理部３４２３および島別稼動状況グラフ処理部３４２４が起動された場合に実行される処理も、それぞれ、機種別稼動状況処理部３４０１に含まれる日別稼動状況処理部３４１１、期間指定稼動状況処理部３４１２、曜日指定稼動状況処理部３４１３および機種別稼動状況グラフ処理部３４１４により実行される処理と略同様である。ただし、島別稼動状況処理部３４０２に含まれる処理においては、カレントＤ／Ｂ２５０或いは締切Ｄ／Ｂ２７０に収容された島別の稼動状況に関するデータが読み出される。
【００８８】
ここに、図３２は、日別稼動状況処理部３４２１による処理が実行された結果得られた表を示す図であり、図３３は、期間指定稼動状況処理部３４２２による処理が実行された結果得られた表を示す図であり、図３４は、曜日指定稼動状況処理部３４２３による処理が実行された結果得られた表を示す図であり、さらに、図３５は、島別稼動状況グラフ処理部３４２４による処理が実行された結果得られたグラフを示す図である。特に、図３５において、画面４３６６中の下側部分４３７０には、指定された特定の期間に含まれる日との天候を表わすシンボル４３７１、４３７２、４３７３が示されていることが理解されるであろう。
【００８９】
このように、指定された特定の期間に含まれる日ごとの天候を示すシンボルを、グラフに付加することにより、操作者は、天候によるパチンコ機の稼動状況の変動などを容易に把握することができる。
【００９０】
さらに、機種別稼動状況処理部３４０１の日別稼動状況処理部３４１２、期間指定稼動状況処理部３６１２、曜日指定稼動状況処理部３６１３により、それぞれ画面４３０上に表が得られている場合に、所定のアイコン、たとえば、図２９においては、アイコン４３８０をマウスなどを用いて指示すると、各機種の稼動状況がそれぞれグラフとして表わされた機種比較グラフが、画面４３０中のサブウィンドウに表示される。図３６は、日別稼動状況処理部３４１２の処理により得られた表に、さらに、各機種の稼動状況がそれぞれグラフとして表わされたサブウィンドウ４３８１が重ね合わされている状態を示す図である。図３６に示すように、各機種ごとの入客率がグラフとして表わされているため、操作者は、それぞれの入客率を容易に比較することが可能となる。
【００９１】
また、機種別稼動状況処理部３４０１の日別稼動状況処理部により画面４３０上に表が得られている場合に、図２９に示すアイコン４３８２をマウスなどを用いて指示すると、特定の機種の一日の時間ごとの入客率の変化、過去の入客率の平均、および、その日と同じ曜日の入客率の時間推移とが、それぞれグラフとして表わされた過去比較グラフが、画面４３０中のサブウィンドウに表示される。図３７は、日別稼動状況処理部３４１２の処理により得られた表に、さらに、このようにして得られた過去比較グラフを含むサブウィンドウ４３８３が重ね合わされた状態を示す図である。
【００９２】
島別稼動状況処理部３４０２の日別稼動状況処理部３４２１、期間指定稼動状況処理部３４２２および曜日指定稼動状況処理部３４２３の処理により得られた画面においても、島どうしの稼動状況を比較する島比較グラフを含むサブウィンドウを重ねあわせることが可能であり、また、日別稼動状況処理部３４２１の処理により得られた画面において、特定の島の入客率、過去の平均入客率などを示すグラフを含むサブウィンドウを重ねあわせることも可能である。
【００９３】
次に、本発明のパーラー管理支援システムの状態遷移について、図３８を参照して説明する。
【００９４】
ところで、遊技パーラー、例えば、パチンコパーラーにおいては、営業開始時に、各遊技機島において、パチンコ玉をそれぞれの遊技機および玉貸機に必要量を、補給機構から一斉に補給する処理を行なう。これは、パーラー側のコントローラによって、自動的に行なわれる。そして、営業時には、各遊技機および玉貸機において、補給機構から、不足する玉を自動的に補給を受ける。そこで、本発明のパーラー管理支援システムを適用する場合には、このようなパーラーの状態を考慮して、１日の運転状態を定めておく。
【００９５】
まず、営業前で、かつ、一斉補給を行なう前に、電源をオンして起動され、起動処理を行なう。そして、この時点では、本発明のパーラー管理支援システムは、カレントデータベースに、当日付けデータが存在する場合には、カレントデータベースの営業ファイルの更新を行なう。そして、一斉補給が終わるまで待機する（１００１，１００２，１００３）。本システムは、一斉補給があると、パーラーの営業が開始されたと判断する。
【００９６】
一斉補給が終わり、自動補給の状態に到ると、システムは、通常の運転状態となる（１００３，１００４）。この状態で、補給停止操作が検知されると、補給が中断される。この状態で、システムは、データ収集装置の電源がオンかオフかを調べ、オン状態であれば、営業は終了していないと判断して、そのまま待つ。一方、データ収集装置の電源がオフであれば、営業が完了したものと判断する。その結果、データベース部において、締切処理を実行する。すなわち、カレントデータの一部を締切データベースに移す。
【００９７】
以上により、本発明のパーラー管理支援システムは、パーラーの稼働状態に応じて、データベースの状態を制御して、適切なデータを蓄積することとなっている。
【００９８】
本発明は、以上の実施例に限定されることなく、特許請求の範囲に記載された発明の範囲内で、種々の変更が可能であり、それらも本発明の範囲内に包含されるものであることは言うまでもない。
【００９９】
さらに、本明細書において、手段とは、必ずしも物理的手段を意味するものではなく、各手段の機能が、ソフトウエアによって実現される場合も包含する。また、一つの手段の機能が二以上の物理的手段により実現されても、二以上の手段の機能が一つの物理的手段により実現されてもよい。
【図面の簡単な説明】
【０１００】
【図１】本発明の一実施例のパーラー管理支援システムの機能構成の概要を示すブロック図。
【図２】本発明のパーラー管理支援システムのハードウエア資源のシステム構成を示すブロック図。
【図３】本発明が適用される遊技機島の一例を示す斜視図。
【図４】本発明が適用されるパチンコパーラーにおける遊技機島の配置例を示す説明図。
【図５】本発明において用いられるデータベース部に含まれるカレントデータベースの一構成例を示す説明図。
【図６】本発明において用いられるデータベース部に含まれる定数データベースの一構成例を示す説明図。
【図７】本発明において用いられるデータベース部に含まれる締切データベースの一構成例を示す説明図。
【図８】本発明において用いられるデータベース部に含まれる計画データベースの一構成例を示す説明図。
【図９】本発明において用いられるデータベース部に含まれるデ−タ作成処理データベースの一構成例を示す説明図。
【図１０】本発明において用いられるユーザインタフェース部の機能構成の概要を示すブロック図。
【図１１】本発明において用いられるユーザインタフェース部による画面展開例を示す説明図。
【図１２】本発明において用いられるユーザ設定画面の一例を示す説明図。
【図１３】本発明において用いられるメイン画面として使用される売上合計表示画面の一例を示す説明図。
【図１４】本発明において用いられるメニューバーを開いた状態の売上合計表示画面の一例を示す説明図。
【図１５】本発明において用いられる売上げ推移グラフのウインドを開いた状態の売上表示画面の一例を示す説明図。
【図１６】本発明において用いられる店舗レイアウト表示画面の一例を示す説明図。
【図１７】本発明において用いられるサービスメニュー表示画面の一例を示す説明図。
【図１８】本発明において用いられるメンテナンスメニュー表示画面の一例を示す説明図。
【図１９】本発明において用いられる台別表示画面のウインドウィンドウを開いた状態の店舗レイアウト表示画面の一例を示す説明図。
【図２０】上記台別表示画面上に稼働明細表表示画面のウインドウィンドウを開いた状態の店舗レイアウト表示画面の一例を示す説明図。
【図２１】上記台別表示画面上に差玉グラフ表示画面のウインドウィンドウを開いた状態の店舗レイアウト表示画面の一例を示す説明図。
【図２２】上記台別表示画面上に特賞推移表表示画面のウインドウィンドウを開いた状態の店舗レイアウト表示画面の一例を示す説明図。
【図２３】上記台別表示画面上に日別確率グラフ表示画面のウインドウィンドウを開いた状態の店舗レイアウト表示画面の一例を示す説明図。
【図２４】上記台別表示画面上にスタート別確率グラフ表示画面のウインドウィンドウを開いた状態の店舗レイアウト表示画面の一例を示す説明図。
【図２５】上記台別表示画面上に台別推移グラフ表示画面のウインドウィンドウを開いた状態の店舗レイアウト表示画面の一例を示す説明図。
【図２６】監視処理における各種処理のリンク関係を示す説明図。
【図２７】図２７は、本発明の実施例にかかる分析処理の内容を説明図。
【図２８】図２８は、本発明の実施例にかかるパーラー管理支援装置のメイン画面に得られる画像の一例を示す図。
【図２９】図２９は、本発明の実施例にかかるパーラー管理支援装置の画面に得られる画像を一例を示す図。
【図３０】図３０は、本発明の実施例にかかるパーラー管理支援装置の画面に得られる画像を一例を示す図。
【図３１】図３１は、本発明の実施例にかかるグラフデータに対応するグラフを示す図。
【図３２】図３２は、本発明の実施例にかかる日別稼動状況処理部が実行された結果得られた表を示す図。
【図３３】図３３は、本発明の実施例にかかる期間指定稼動状況処理部が実行された結果得られた表を示す図。
【図３４】図３４は、本発明の実施例にかかる曜日指定稼動状況処理部が実行された結果得られた表を示す図。
【図３５】図３５は、島別稼動状況グラフ処理部による処理が実行された結果得られたグラフを示す図。
【図３６】図３６は、本実施例の画面中に重ねられたサブウィンドウを示す図。
【図３７】図３７は、本実施例の画面中に重ねられたサブウィンドウを示す図。
【図３８】本発明のシステムの状態遷移を示す説明図。
【符号の説明】
【０１０１】
１・・・遊技機、２・・・遊技機島、３・・・玉貸機、１００・・・情報処理装置、１１０・・・ＣＰＵ、１１１・・・メモリ、１２０・・・入力装置、１３０・・・表示装置、１４０・・・プリンタ、１２１・・・キーボード、１２２・・・マウス、２００・・・データベース部、２１０・・・デ−タ入力／加工、２２０・・・締切デ−タ作成処理、２５０・・・カレントデータベース、２６０・・・定数データベース、２７０・・・締切データベース、３００・・・管理支援処理部、３１０・・・監視処理、３２０・・・実績把握処理、３３０・・・釘帳処理、３４０・・・分析処理、３５０・・・計画処理、３６０・・・デ−タ作成処理、４００・・・ユーザインタフェース部、４２０・・・ユーザ入力処理、４２２・・・メイン画面処理、４２３・・・サービスメニュー処理、４３０・・・画面表示処理、４３２・・・メイン画面、４３３・・・サービスメニュー、４３５・・・個別支援処理画面、４４０・・・帳票処理、４６０・・・第１アイコン群、４６３・・・メニュー指示、４７０・・・第２アイコン群、４７３・・・再表示、５００・・・メンテナンス処理部、３４０１・・・機種別稼働状況処理部、３４０２・・・島別稼働状況処理部、３４０３・・・台別デ−タ処理部、３４０４・・・曜日別分析処理部
【図１】
2006312101.tif 000003
【図２】
2006312101.tif 000004
【図３】
2006312101.tif 000005
【図４】
2006312101.tif 000006
【図５】
2006312101.tif 000007
【図６】
2006312101.tif 000008
【図７】
2006312101.tif 000009
【図８】
2006312101.tif 000010
【図９】
2006312101.tif 000011
【図１０】
2006312101.tif 000012
【図１１】
2006312101.tif 000013
【図１２】
2006312101.tif 000014
【図１３】
2006312101.tif 000015
【図１４】
2006312101.tif 000016
【図１５】
2006312101.tif 000017
【図１６】
2006312101.tif 000018
【図１７】
2006312101.tif 000019
【図１８】
2006312101.tif 000020
【図１９】
2006312101.tif 000021
【図２０】
2006312101.tif 000022
【図２１】
2006312101.tif 000023
【図２２】
2006312101.tif 000024
【図２３】
2006312101.tif 000025
【図２４】
2006312101.tif 000026
【図２５】
2006312101.tif 000027
【図２６】
2006312101.tif 000028
【図２７】
2006312101.tif 000029
【図２８】
2006312101.tif 000030
【図２９】
2006312101.tif 000031
【図３０】
2006312101.tif 000032
【図３１】
2006312101.tif 000033
【図３２】
2006312101.tif 000034
【図３３】
2006312101.tif 000035
【図３４】
2006312101.tif 000036
【図３５】
2006312101.tif 000037
【図３６】
2006312101.tif 000038
【図３７】
2006312101.tif 000039
【図３８】
2006312101.tif 000040
【手続補正書】
【提出日】平成18年9月14日(2006.9.14)
【手続補正１】
【補正対象書類名】特許請求の範囲
【補正対象項目名】請求項１
【補正方法】変更
【補正の内容】
【請求項１】
複数台の遊技機を島状に配列した遊技機島を複数配置したパーラーから各遊技機の稼働状態を示す情報を収集するデータ収集装置から、該情報を取り込み、前記パーラーにおける管理を支援するシステムにおいて、
各遊技機の稼働状態を示す情報を収集すると共に、収集した情報の少なくとも一部について、予め定めた加工処理を行なって、収集された情報および加工された情報を蓄積するためのデータベース部と、
パーラー管理のための複数種の支援処理を搭載し、それらのうちから選択された支援処理を、データベース部に蓄積される情報を用いて行なうための管理支援処理部と、
情報の入出力を行なうためのユーザインタフェース部と、を備え、
前記データベース部は、各遊技機の稼働状態を示す情報を周期的に取り込むと共に、取り込んだ情報について、予め定めた加工処理を行なうデータ入力／加工処理手段と、締切データを生成する締切データ作成処理手段と、取り込んだ情報および加工した情報を記憶する記憶手段と、を有し、
前記記憶手段は、取り込んだ情報を記憶するカレントデータベースと、マスタ情報を記憶する定数データベースと、前記カレントデータベースに蓄積される情報を一定の期間単位に締め切って長期間保存する締切データベースと、を有し、
前記データ入力／加工処理手段は、
前記データ収集装置を介して、前記複数台の遊技機に行われるパチンコ玉の補給の状態の検知を行い、
前記複数台の遊技機にパチンコ玉の一斉補給が行われる前において、前記カレントデータベースに当日付けデータが存在する場合には、当該データの更新を行い、
自動補給の状態を検知した場合には、前記各遊技機の情報を周期的に取り込むと共に加工処理を行い、前記周期的に取り込んだ情報、および、前記加工処理された情報を前記カレントデータベースに格納し、
前記締切データ作成処理手段は、前記データ収集装置の電源のオフ状態を検知すると、前記定数データベースで与えられる定数およびカレントデータベースから読み出したカレントデータに基づいて、予め定められた期間単位に編集して締切データを生成して、前記締切データベースに保存させる処理を行い、
前記ユーザインタフェース部は、指示およびデータの入力を受け付ける入力手段と、パーラー管理支援のための情報の表示を少なくとも行なう表示手段とを有し、
表示手段は、予め定めたメイン画面と、上記各支援処理に対応する個別支援処理画面とを用意し、常時は、メイン画面を表示し、入力手段によって、いずれかの支援処理が選択されたとき、当該支援処理の個別支援処理画面の表示を行なうこと
を特徴とするパーラー管理支援システム。
【手続補正２】
【補正対象書類名】特許請求の範囲
【補正対象項目名】請求項４
【補正方法】変更
【補正の内容】
【請求項４】
請求項３において、監視処理手段は、売上合計を求めて、表示のための表を作成する売上合計処理と、パーラーの遊技機島の島配置を模式化して画像表示する店舗レイアウト作成処理とを有することを特徴とするパーラー管理支援システム。
【手続補正３】
【補正対象書類名】明細書
【補正対象項目名】０００８
【補正方法】変更
【補正の内容】
【０００８】
また、実開昭６０−１７７８２号の明細書および図面には、パチンコ遊技機と玉貸機が配置されたパチンコパーラーにおいて、マイクロコンピュータを設置して、パチンコ遊技機および玉貸機の発する情報を処理する管理装置が示されている。この管理装置は、各パチンコ遊技機および玉貸機の平面的配置を、表示装置の管面に表示させ、かつ、各パチンコ遊技機が生ずる情報を処理して、その結果を重ねて表示する。これにより、パチンコパーラー全体におけるパチンコ遊技機および玉貸機の状態を的確に把握できる。具体的には、平面的に表示されている各パチンコ遊技機の稼働状況、例えば、打ち止め、異常発生、稼働中等の状態を色分けして表示する。また、キーボードからの指示により、画面を切り替て、数値を示すテーブルを表示させることもできる。
【手続補正４】
【補正対象書類名】明細書
【補正対象項目名】００１１
【補正方法】変更
【補正の内容】
【００１１】
ところが、従来の装置では、各パチンコ遊技機からの稼働情報を随時取り入れて、取り込んだ情報に基づいて、表示状態を変更している。そのため、各ゲーム機に色分け表示等を行なっていると、たえず画像情報の書替えを行なう必要があり、処理装置に大きな負担をかけることになる。特に、最近では、パーラーでの経営管理上、従来に増して種々の情報の提供が求められるので、機能の増大に伴って処理装置に更に大きな負担がかかる可能性がある。そのため、処理装置の負担を軽減した上で、可能な限り、機能の増大を図ることが要請されている。
【手続補正５】
【補正対象書類名】明細書
【補正対象項目名】００１９
【補正方法】変更
【補正の内容】
【００１９】
本発明が適用される遊技パーラーは、一般的は、例えば、図３および図４に示すような構成となっている。図３には、遊技パーラーに配置される遊技機島２の構成を示す。遊技機島２は、複数台の遊技機１を互いに背中を向けた状態で２列に配置して構成される。また、１列に並ぶ各遊技機１の間に、隣接する遊技機１に挾まれるようにして、玉貸機３が、１台ずつ、複数台配置される。遊技機島２には、１列に２６台の遊技機１が配列されることが一般的である。もちろん、この台数に限定されることはない。遊技機島２は、図４に示すように、適当な間隔、例えば、その間に、それぞれの遊技機島の遊技者が図示していない椅子に座って遊技ができ、かつ、椅子に座っている遊技者間を人が通り抜けることができる間隔で、パーラーのフロアに配置される。玉貸機は、紙幣等を投入して料金を支払うと、それに見合った個数の遊技媒体、すなわち、遊技気に投入して遊技を行なうための媒体を貸し出す機械である。パチンコ遊技機の場合には、遊技媒体として、金属球で構成されるパチンコ玉が貸し出される。
【手続補正６】
【補正対象書類名】明細書
【補正対象項目名】００４０
【補正方法】変更
【補正の内容】
【００４０】
釘帳処理３３０は、例えば、台（遊技機）別に１週間の釘調整の開締状況および営業状況を一覧表示する島別釘帳推移表、島別・台別に、ある期間内の釘調整後状況および営業状況を一覧表示する島別釘帳明細表等を作成する。